(57)【要約】【課題】便器等に、ねじで十分に締め付け固定することが可能で、ねじの接触部分に破損が生じることを防止でき、ねじ締め操作が容易で、取り付けが簡単な肘掛ユニットを提供すること。【解決手段】固定板１に、固定板１に対して回動自在なスペーサ２を介して肘掛アーム３ａの台座３を回動自在に取り付け、固定用孔１ｂと固定板嵌合孔１ｃを固定板１に穿設し、固定用孔１ｂのスペーサ２側に、固定ねじ４の頭部収納部１ｂ１を設け、頭部移動孔２ｂとスペーサ貫通孔２ｃをスペーサ２に穿設し、ねじ締結操作用孔３ｂと台座貫通孔３ｃを台座３に穿設し、固定用孔１ｂと頭部移動孔２ｂとねじ締結操作用孔３ｂとが一直線上に連通する状態で固定板嵌合孔１ｃとスペーサ貫通孔２ｃと台座貫通孔３ｃとを一直線上に連通させ、仮止め軸５を抜き取り自在に貫通させる。【選択図】図１
2011130852.tif 000002
【特許請求の範囲】
【請求項１】
固定板に、固定板に対して回動自在なスペーサを介して肘掛アームの台座を回動自在に取り付け、固定ねじを貫通させて固定させる固定用孔を固定板に穿設し、固定用孔のスペーサ側に、固定ねじの頭部を収納する頭部収納部を設け、上記頭部より大径の頭部移動孔をスペーサに穿設し、上記頭部よりも小径のねじ締結操作用孔を台座に穿設し、固定用孔と頭部移動孔とねじ締結操作用孔とを一直線上に連通させ、固定用孔に貫通させた固定ねじの頭部を、頭部収納部と頭部移動孔の内部で前後方向に移動自在に収納させた肘掛ユニットにおいて、回動防止用の仮止め軸を嵌合させる固定板嵌合孔を固定板に設け、仮止め軸を嵌合させるスペーサ貫通孔をスペーサに穿設し、仮止め軸を嵌合させる台座貫通孔を台座に穿設し、固定用孔と頭部移動孔とねじ締結操作用孔とが一直線上に連通する状態で固定板嵌合孔とスペーサ貫通孔と台座貫通孔とが一直線上に連通するように設け、台座貫通孔とスペーサ貫通孔と固定板嵌合孔とに、仮止め軸を抜き取り自在に連通させることを特徴とする肘掛ユニット。
【請求項２】
上記仮止め軸には、台座貫通孔とスペーサ貫通孔と固定板嵌合孔とに連通した状態で固定板嵌合孔からスペーサと反対側に突出する嵌合部を設け、該嵌合部を、固定板を固定するための肘掛ユニット取付部に嵌合可能としたことを特徴とする請求項１記載の肘掛ユニット。
【発明の詳細な説明】
【技術分野】
【０００１】
本発明は、便器等に回動自在に取り付ける肘掛ユニットに関するものである。
【背景技術】
【０００２】
特許文献１に記載される従来の肘掛ユニットは、図４（ａ）に示すように、便器本体への取付部１３が、固定板１とスペーサ２と肘掛アーム３ａの台座３とを重ねて組み立てられたものからなっていて、固定板１は、スペーサ２に対して回動自在となっていて、スペーサ２と台座３は固定されている。ここで、固定板１には固定用孔１ｂが、スペーサ２には頭部移動孔２ｂが、台座３にはねじ締結操作用孔３ｂが、重ねた方向に一直線状に連通するように穿設されている。固定板１を便器本体に固定する固定ねじ４は、固定ねじ４の頭部４ａが、固定用孔１ｂのスペーサ２側に設けた頭部収納部１ｂ１に位置するように固定用孔１ｂ内に挿入されている。上記のように一直線状に連通した状態において、図４（ｂ）に示すように、固定ねじ４の頭部４ａは、固定ねじ４の頭部４ａの最大径よりも小径に設けたねじ締結操作用孔３ｂには入らず、頭部４ａの最大径よりも大径に設けた頭部収納部１ｂ１と頭部移動孔２ｂの間で移動自在となっている。
【０００３】
このような構成であっては、固定ねじ４の頭部４ａが、スペーサ２の頭部移動孔２ｂに入った状態で、スペーサ２が回動等すると、図４（ｃ）に示すように、頭部４ａが頭部移動孔２ｂに押されて斜めに傾いて、十分に固定ねじ４の締め付けがし難いという問題があった。また、頭部移動孔２ｂや固定用孔１ｂや固定ねじ４に破損が生じるおそれがあるという問題があった。
【０００４】
また、ねじ締め操作とは別に、固定用孔１ｂと頭部移動孔２ｂとねじ締結操作用孔３ｂとを一直線上に連通させた状態を保持する操作が必要で、便器本体への肘掛ユニットの取り付けが難しいという問題があった。
【０００５】
また、このような構造の肘掛ユニットを便器本体（図示せず）の側面に取り付ける場合、通常、便器本体の側面と、その側面に対向する便所壁面（図示せず）との間は狭く、固定用孔１ｂと頭部移動孔２ｂとねじ締結操作用孔３ｂとが一直線上に連通しているかどうか確認することは難しいという問題があった。
【０００６】
また、固定用孔１ｂと頭部移動孔２ｂとねじ締結操作用孔３ｂとを一直線上に一旦連通させても、ねじ締めする間にねじ締結操作用孔３ｂがずれてしまって、固定ねじ４をまっすぐ締めることが難しいという問題があった。
【先行技術文献】
【特許文献】
【０００７】
【特許文献１】特開２００３−１５９２００号公報
【発明の概要】
【発明が解決しようとする課題】
【０００８】
本発明は上記事情を鑑みて発明したものであって、便器等にねじで十分に締め付け固定することが可能で、ねじの接触部分に破損が生じることを防止でき、ねじ締め操作が容易で、取り付けが簡単な肘掛ユニットを提供することを課題とする。
【課題を解決するための手段】
【０００９】
上記課題を解決するための本発明の肘掛ユニットは、固定板１に、固定板１に対して回動自在なスペーサ２を介して肘掛アーム３ａの台座３を回動自在に取り付け、固定ねじ４を貫通させて固定させる固定用孔１ｂを固定板１に穿設し、固定用孔１ｂのスペーサ２側に、固定ねじ４の頭部４ａを収納する頭部収納部１ｂ１を設け、頭部４ａより大径の頭部移動孔２ｂをスペーサ２に穿設し、頭部４ａよりも小径のねじ締結操作用孔３ｂを台座３に穿設し、固定用孔１ｂと頭部移動孔２ｂとねじ締結操作用孔３ｂとを一直線上に連通させ、固定用孔１ｂに貫通させた固定ねじ４の頭部４ａを、頭部収納部１ｂ１と頭部移動孔２ｂの内部で前後方向に移動自在に収納させた肘掛ユニットにおいて、回動防止用の仮止め軸５を嵌合させる固定板嵌合孔１ｃを固定板１に設け、仮止め軸５を嵌合させるスペーサ貫通孔２ｃをスペーサ２に穿設し、仮止め軸５を嵌合させる台座貫通孔３ｃを台座３に穿設し、固定用孔１ｂと頭部移動孔２ｂとねじ締結操作用孔３ｂとが一直線上に連通する状態で固定板嵌合孔１ｃとスペーサ貫通孔２ｃと台座貫通孔３ｃとが一直線上に連通するように設け、台座貫通孔３ｃとスペーサ貫通孔２ｃと固定板嵌合孔１ｃとに、仮止め軸５を抜き取り自在に貫通させることを特徴とする。
【００１０】
このような構成とすることで、一直線上に連通する台座貫通孔３ｃとスペーサ貫通孔２ｃと固定板嵌合孔１ｃとに、仮止め軸５を貫通させれば、固定用孔１ｂと頭部移動孔２ｂとねじ締結操作用孔３ｂとが一直線上に連通した状態を保持することができる。よって、固定板１の固定用孔１ｂに貫通させた固定ねじ４の頭部４ａが、回動するスペーサ２の頭部移動孔２ｂに押されて斜めに傾くことを防止でき、ねじ締結操作用孔３ｂからドライバーや六角レンチ等を差し込んで固定ねじ４の頭部４ａをまっすぐねじ締めできて、ねじ締め操作を簡単にできる。また、固定ねじ４の頭部４ａをまっすぐねじ締めできるので、肘掛ユニットの固定板１を十分な締め付け強度で便器等に固定することができる。また、回動による不意な力が固定ねじ４に働かないので、頭部移動孔２ｂや固定用孔１ｂや固定ねじ４に破損が生じることを防止することができる。また、ねじ締め操作の途中に、固定用孔１ｂと頭部移動孔２ｂとねじ締結操作用孔３ｂとは一直線上からずれることがなく、一直線上に連通しているかどうか確認する必要がないので、便器等への取り付けが簡単にできる。また、仮止め軸５は抜き取り自在なので、便器等に固定した後は、仮止め軸５を抜き取れば、肘掛アーム３ａを回動自在とすることができる。また、肘掛アーム３ａが必要なくなって、肘掛ユニットを取り外す際にも、台座貫通孔３ｃとスペーサ貫通孔２ｃと固定板嵌合孔１ｃとを一直線上に連通させて仮止め軸５を差し込めば、固定用孔１ｂと頭部移動孔２ｂとねじ締結操作用孔３ｂとを一直線上に連通させると共に、連通した状態を保持することができるので、ねじ締め解除の操作も容易で、便器等から簡単に取り外しすることができる。
【００１１】
また、上記仮止め軸５には、台座貫通孔３ｃとスペーサ貫通孔２ｃと固定板嵌合孔１ｃとに連通した状態で固定板嵌合孔１ｃからスペーサ２と反対側に突出する嵌合部５ａを設け、該嵌合部５ａを、固定板１を固定するための肘掛ユニット取付部９に嵌合可能とすることが好ましい。
【００１２】
このような構成とすることで、肘掛ユニットに貫通させた仮止め軸５の嵌合部５ａを、便器等の肘掛ユニット取付部９に嵌合させれば、その嵌合箇所を位置合わせの基準としながら、肘掛ユニット取付部９の取り付け位置に、容易に肘掛ユニットを取り付けることができる。
【発明の効果】
【００１３】
本発明は、便器等にねじで十分に締め付け固定することが可能で、ねじの接触部分に破損が生じることを防止でき、ねじ締め操作が容易で、取り付けが簡単な肘掛ユニットを提供することができる。
【図面の簡単な説明】
【００１４】
【図１】本発明の実施形態の一例を示す肘掛ユニットの分解斜視図である。
【図２】本発明の実施形態の肘掛ユニットが取り付けられた便器の斜視図である。
【図３】（ａ）は、本発明の実施形態の肘掛ユニットの取り付けられる便器の肘掛ユニット取付部の斜視図であり、（ｂ）は本発明の実施形態の肘掛ユニットの側面を示す斜視図である。
【図４】（ａ）は、従来の肘掛ユニットの分解斜視図であり、（ｂ）は、ねじ締め時の状態を示す断面図あり、（ｃ）は（ｂ）の状態からスペーサーと台座がわずかに回動した時の状態を示す断面図ある。
【発明を実施するための形態】
【００１５】
以下、本発明を添付図面に示す実施形態に基いて説明する。
【００１６】
図２に示す本発明の実施形態の一例を示す肘掛ユニットは、便器本体８の両側面に設けた肘掛ユニット取付部９に回動自在に取り付けられる。
【００１７】
肘掛ユニットは、肘掛ユニット取付部９に取り付けられる取付部１３と、使用者が肘を掛ける肘掛部３ａ１と、その肘掛部３ａ１と取付部１３とを接続するアーム部３ａ２と、から構成される。肘掛部３ａ１とアーム部３ａ２とを合せて肘掛アーム３ａとする。
【００１８】
肘掛ユニットの取付部１３は、図１に示すように、肘掛ユニット取付部９に固定される固定板１と、滑性のある合成樹脂にて形成されるスペーサ２と、肘掛アーム３ａの基部が一体に結合された台座３とから構成される。固定板１は、皿ねじ等の固定ねじ４によって、肘掛ユニット取付部９に固定される。固定板１とスペーサ２と台座３は、この順番に重なって組み立てられ、略同径の円盤状に形成される。
【００１９】
台座３は、スペーサ２と反対側の面の中央部に肘掛アーム３ａが結合されている。台座３のスペーサ２に対向する対向面３１の中央部からは、回動軸３ｅが突設されている。また、回動軸３ｅの近傍の対向面３１からは、固定板１とスペーサ２の回動範囲を規制する円柱状のストッパーピン３ｄが突設されている。回動軸３ｅは、先端に、ナット７が螺合されるナット螺合部３ｅ２を有し、対向面３１側に、固定板１とスペーサ２の回動軸となる基部３ｅ１を有する。ナット螺合部３ｅ２は、基部３ｅ１よりも小径に形成されている。さらに、台座３の両側の対称位置には、固定ねじ４のねじ締め操作を行うためのねじ締結操作用孔３ｂが穿設されている。ねじ締結操作用孔３ｂは、固定ねじ４の頭部４ａの最大径よりも小径で、ドライバーや六角レンチなどの工具の先端を挿入可能な径を有する。
【００２０】
スペーサ２には、中央部に、スペーサ中央孔２ｅが穿設されている。また、台座３のねじ締結操作用孔３ｂに対向する位置には、固定ねじ４の頭部４ａが移動可能な頭部移動孔２ｂが穿設されている。また、台座３のストッパーピン３ｄに対向する位置には、ストッパーピン３ｄに嵌合するスペーサ嵌合孔２ｄが穿設されている。スペーサ中央孔２ｅは、台座３の回動軸３ｅの基部３ｅ１と略同径に形成される。頭部移動孔２ｂは、固定ねじ４の頭部４ａの最大径より少し大径に形成される。スペーサ嵌合孔２ｄは、ストッパーピン３ｄの断面と略同径に形成される。
【００２１】
固定板１には、中央部に、固定板中央孔１ｅが穿設されている。また、スペーサ２の頭部移動孔２ｂに対向する位置には、固定ねじ４を貫通させて固定板１を固定させる固定用孔１ｂが穿設されている。また、台座３のストッパーピン３ｄに対向する位置には、ストッパーピン３ｄが挿入されてスライドされるスライド孔１ｄが穿設されている。固定板中央孔１ｅは、台座３の回動軸３ｅの基部３ｅ１と略同径に形成される。固定用孔１ｂは、スペーサ２側に、固定ねじ４の頭部４ａを収納する頭部収納部１ｂ１を有し、スペーサ２と反対側に固定ねじ４の軸部４ｂを収納する軸部収納部１ｂ２を有する。頭部収納部１ｂ１は、頭部４ａの最大径より少し大径に形成される。軸部収納部１ｂ２は、頭部４ａの最大径より小径で、軸部４ｂより大径に形成される。スライド孔１ｄは、円弧状の溝で形成されていて、円弧の外径と内径との差である溝幅がストッパーピン３ｄの直径と略同じに形成される。ここで、スライド孔１ｄの円弧は、固定板中央孔１ｅの中央を中心とする。
【００２２】
肘掛ユニットの取付部１３は、以下のようにして、組み立てられる。
【００２３】
まず、固定板１の固定用孔１ｂに、固定ねじ４を挿入する。次に、台座３の回動軸３ｅの基部３ｅ１が、スペーサ２のスペーサ中央孔２ｅと、固定板１の固定板中央孔１ｅとを通るように固定板１とスペーサ２と台座３とを重ね合わせる。このとき、台座３のストッパーピン３ｄが、スペーサ２のスペーサ嵌合孔２ｄに嵌合し、固定板１のスライド孔１ｄ内に位置するように固定板１とスペーサ２と台座３とを重ね合わせる。次に、回動軸３ｅの先端のナット螺合部３ｅ２に、固定板中央孔１ｅよりも大径のワッシャ６を通し、ナット７を螺合させる。このように組み立てることによって、スペーサ２は台座３に対して回動不可に取り付けられる。そして、固定板１は台座３に対して、台座３のストッパーピン３ｄがスライド孔１ｄ内を移動可能な範囲内で、回動自在に取り付けられる。このようにして、固定板１に対してスペーサ２は回動自在に取り付けられ、そのスペーサ２に回動不可に取り付けられた台座３が、スペーサ２を介して固定板１に回動自在に取り付けられる。
【００２４】
なお、円弧状のスライド孔１ｄ内で、台座３側から視て反時計回り方向の端部にストッパーピン３ｄが位置した状態のとき、肘掛アーム３ａの肘掛部３ａ１は水平な状態となり、それ以上、下方に回動しない。また、他方の端部にストッパーピン３ｄが位置した状態のとき、肘掛アーム３ａの肘掛部３ａ１は跳ね上げた状態となり、それ以上後方に回動しない。
【００２５】
固定ねじ４は、固定板１の固定用孔１ｂ内で、頭部４ａが頭部収納部１ｂ１に位置し、軸部４ｂが軸部収納部１ｂ２に位置するよう貫通させている。
【００２６】
以上のようにして組み立てられた肘掛ユニットの取付部１３を、便器本体８の肘掛ユニット取付部９に取り付ける際には、台座３の回動軸３ｅを中心に、固定板１を回動させて、固定板１の固定用孔１ｂとスペーサ２の頭部移動孔２ｂと台座３のねじ締結操作用孔３ｂとを、一直線上に連通させた状態とする。この状態において、固定ねじ４の頭部４ａは、固定板１の固定用孔１ｂ内の頭部収納部１ｂ１とスペーサ２の頭部移動孔２ｂの内部で前後方向に移動自在に収納される。この状態において、ねじ締結操作用孔３ｂから、ドライバー等を挿入して固定ねじ４の締結操作を行って肘掛ユニットの取付部１３を、便器本体８の肘掛ユニット取付部９に取り付ける。
【００２７】
なお、この一直線上に連通させた状態において、固定ねじ４の頭部４ａを頭部移動孔２ｂの内部の台座３近傍に位置させた場合に、軸部４ｂが固定板１のスペーサ２と反対側の面から突出しないようにしてもよい。このような構成とすれば、軸部４ｂが取付部１３の外側で何かに接触して、軸部４ｂが潰れたり、固定ねじ４が接触する部分の固定板１やスペーサ２に過度な負荷が発生することを防止することができる。
【００２８】
本発明の実施形態の肘掛ユニットは、さらに、以下の構成を有する。
【００２９】
固定板１には、回動防止用の仮止め軸５を嵌合させる固定板嵌合孔１ｃが設けられている。また、スペーサ２には、その固定板嵌合孔１ｃに対向する位置に、仮止め軸５を嵌合させるスペーサ貫通孔２ｃが穿設されている。また、台座３には、そのスペーサ貫通孔２ｃに対向する位置に、仮止め軸５を嵌合させる台座貫通孔３ｃが穿設されている。固定板嵌合孔１ｃは、仮止め軸５に螺合する螺合溝を有する。固定板嵌合孔１ｃとスペーサ貫通孔２ｃと台座貫通孔３ｃは、仮止め軸５と略同径で形成される。ここで、固定板嵌合孔１ｃとスペーサ貫通孔２ｃと台座貫通孔３ｃは、固定用孔１ｂと頭部移動孔２ｂとねじ締結操作用孔３ｂとを一直線上に連通させた状態で、一直線上に連通するように設けられている。
【００３０】
仮止め軸５は、頭部５ｂが螺入方向に対して肉厚に形成された、ねじで形成される。頭部５ｂの外周には滑り止め用溝が螺入方向に沿って形成されている。このような構成とすることで、仮止め軸５は、手で締めたり緩めたりすることができ、取付部１３に抜き取り自在に貫通できる。なお、仮止め軸５は、螺合するものに限定されるものではなく、円筒形のものでもよい。
【００３１】
一直線上に連通した状態の台座貫通孔３ｃとスペーサ貫通孔２ｃと固定板嵌合孔１ｃとに、仮止め軸５を貫通させることで、固定板１とスペーサ２と台座３とは回動不可に固定される。このとき、固定用孔１ｂと頭部移動孔２ｂとねじ締結操作用孔３ｂとは一直線上に連通した状態となっており、固定ねじ４の頭部４ａが、ねじ締結操作用孔３ｂには入らず、頭部収納部１ｂ１と頭部移動孔２ｂの間で移動自在な状態となっている（図４（ｂ）参照）。
【００３２】
このような構成とすることで、一直線上に連通する台座貫通孔３ｃとスペーサ貫通孔２ｃと固定板嵌合孔１ｃとに、仮止め軸５を貫通させれば、固定用孔１ｂと頭部移動孔２ｂとねじ締結操作用孔３ｂとが一直線上に連通した状態を保持することができる。よって、固定板１の固定用孔１ｂに貫通させた固定ねじ４の頭部４ａが、回動するスペーサ２の頭部移動孔２ｂに押されて斜めに傾くことを防止でき、ねじ締結操作用孔３ｂからドライバーや六角レンチ等を差し込んで固定ねじ４の頭部４ａをまっすぐねじ締めできて、ねじ締め操作を簡単にできる。また、固定ねじ４の頭部４ａをまっすぐねじ締めできるので、肘掛ユニットの固定板１を十分な締め付け強度で便器等に固定することができる。また、回動による不意な力が固定ねじ４に働かないので、頭部移動孔２ｂや固定用孔１ｂや固定ねじ４に破損が生じることを防止することができる。また、ねじ締め操作の途中に、固定用孔１ｂと頭部移動孔２ｂとねじ締結操作用孔３ｂとは一直線上からずれることがなく、一直線上に連通しているかどうか確認する必要がないので、便器等への取り付けが簡単にできる。また、仮止め軸５は抜き取り自在なので、便器等に固定した後は、仮止め軸５を抜き取れば、肘掛アーム３ａを回動自在とすることができる。また、肘掛アーム３ａが必要なくなって、肘掛ユニットを取り外す際にも、台座貫通孔３ｃとスペーサ貫通孔２ｃと固定板嵌合孔１ｃとを一直線上に連通させて仮止め軸５を差し込めば、固定用孔１ｂと頭部移動孔２ｂとねじ締結操作用孔３ｂとを一直線上に連通させると共に、連通した状態を保持することができるので、ねじ締め解除の操作も容易で、便器等から簡単に取り外しすることができる。
【００３３】
上記肘掛ユニットの仮止め軸５についてさらに詳しく説明すると、仮止め軸５は先端に、肘掛ユニット取付部９に嵌合させる嵌合部５ａを有する。図３（ｂ）に示すように、台座貫通孔３ｃとスペーサ貫通孔２ｃと固定板嵌合孔１ｃとに仮止め軸５を貫通させた状態において、仮止め軸５の嵌合部５ａは、固定板１のスペーサ２と反対側の面から突出する。便器本体８には、図３（ａ）に示すように、固定板１を固定するための肘掛ユニット取付部９が設けられている。肘掛ユニット取付部９には、嵌合部５ａに嵌合可能な被嵌合凹部９ｃが設けられている。
【００３４】
このような構成とすることで、肘掛ユニットに貫通させた仮止め軸５の嵌合部５ａを、肘掛ユニット取付部９に嵌合させれば、その嵌合箇所を位置合わせの基準としながら、肘掛ユニット取付部９の取り付け位置に、容易に肘掛ユニットを取り付けることができる。
【００３５】
さらに、肘掛ユニットの取付部１３と肘掛ユニット取付部９について詳しく説明すると、図１、図３（ｂ）に示すように、固定板１には、スペーサ２と反対側の面から、肘掛ユニット取付部９との位置決めを行うための位置決め用突部１ｆが３つ突設されている。
【００３６】
肘掛ユニット取付部９には、図３（ａ）に示すように、その位置決め用突部１ｆに対応する位置に、位置決め用凹部９ｆが設けられている。また、固定板１の固定用孔１ｂに対向する位置に、固定ねじ４の軸部４ｂが螺合する螺合穴９ｂが設けられている。
【００３７】
仮止め軸５の、固定板１のスペーサ２と反対側の面からの最大突出長さは、位置決め用突部１ｆの突出長さや、固定ねじ４の軸部４ｂの、固定板１のスペーサ２と反対側の面からの最大突出長さよりも長くなるように形成される。肘掛ユニット取付部９の被嵌合凹部９ｃの深さは、仮止め軸５の固定板嵌合孔１ｃからの最大突出長さ以上に形成される。ここで、仮止め軸５の最大突出長さとは、仮止め軸５の頭部５ｂが台座３に接触して、それ以上取付部１３に螺入させることができない状態における仮止め軸５の、固定板１のスペーサ２と反対側の面から突出した部分の長さのことである。
【００３８】
肘掛ユニット取付部９に肘掛ユニットを取り付ける際には、まず、肘掛ユニットに貫通させた仮止め軸５の嵌合部５ａの先端を、肘掛ユニット取付部９の被嵌合凹部９ｃに嵌合させる。その後、その嵌合箇所を位置合わせの基準として、位置決め用突部１ｆを位置決め用凹部９ｆに対向する位置に合わせる。そして、肘掛ユニットの取付部１３を肘掛ユニット取付部９に押し込む。このようにすることで、肘掛ユニット取付部９の螺合穴９ｂに固定板１内に挿入した固定ねじ４を容易に位置合わせすることができる。
【００３９】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４０】
１      固定板
１ｂ    固定用孔
１ｂ１  頭部収納部
１ｂ２  軸部収納部
１ｃ    固定板嵌合孔
１ｄ    スライド孔
１ｅ    固定板中央孔
１ｆ    位置決め用突部
２      スペーサ
２ｂ    頭部移動孔
２ｃ    スペーサ貫通孔
２ｄ    スペーサ嵌合孔
２ｅ    スペーサ中央孔
３      台座
３ａ    肘掛アーム
３ａ１  肘掛部
３ａ２  アーム部
３ｂ    締結操作用孔
３ｃ    台座貫通孔
３ｄ    ストッパーピン
３ｅ    回動軸
３ｅ１  基部
３ｅ２  ナット螺合部
４      固定ねじ
４ａ    頭部
４ｂ    軸部
５      仮止め軸
５ａ    嵌合部
５ｂ    頭部
６      ワッシャー
７      ナット
８      便器本体
９      肘掛ユニット取付部
９ｂ    螺合穴
９ｃ    被嵌合凹部
９ｆ    位置決め用凹部
１３    取付部
３１    対向面
【図１】
2011130852.tif 000003
【図２】
2011130852.tif 000004
【図３】
2011130852.tif 000005
【図４】
2011130852.tif 000006